(57)【要約】【課題】髪を傷めることなく効率良く整髪することができる優れた整髪用ブラシ及び整髪方法を提供する。【解決手段】整髪用ブラシ１は、弾性植毛部２０に植毛された第１のブラシ２１と；第１の台部の凹面１１ｂ又は側面１１ｃに植毛された第３のブラシ２３と；第２の台部の凸面１２ａ又は側面１２ｃに植毛された第４のブラシ２４とを備え；第３のブラシ２３は幅方向Ｗに対して鋭角の第１の植毛角度Ａ１を有して幅方向Ｗに突出し；第４のブラシ２４は幅方向Ｗに対して鋭角の第２の植毛角度Ａ２を有して幅方向Ｗに突出する突出列２４ａを有し；第３のブラシ２３と第４のブラシの突出列２４ａとが相互に交差して接触するように構成され；第３のブラシ２３と第４のブラシの突出列２４ａとが相互に交差して接触したときに、第１のブラシ２１、第３のブラシ２３及び第４のブラシの突出列２４ａの先端が円筒状の毛先面Ｃ上に整列するように構成される。【選択図】図１
2015037514.tif 000002
【特許請求の範囲】
【請求項１】
円弧形状に湾曲した幅方向の断面形状を有する板状の第１及び第２の台部と；
前記第１及び第２の台部から前記台部の長手方向に沿ってそれぞれ延在する第１及び第２の握柄部と；
前記第１及び第２の握柄部の前記第１及び第２の台部から離間した第１及び第２の遠位端部を回動自在に軸支する回転支持軸と；
前記第１の台部の前記円弧形状の湾曲の凸面に設けられた弾性植毛部と；
前記弾性植毛部に植毛された第１のブラシと；
前記第１の台部の前記円弧形状の湾曲の凹面に植毛された第２のブラシと；
前記第１の台部の凹面又は側面に植毛された第３のブラシと；
前記第２の台部の前記円弧形状の湾曲の凸面又は側面に植毛された第４のブラシとを備え；
前記第１及び第２の台部は前記第１の台部の凹面と前記第２の台部の凸面とが対向するように配向され、前記第１及び第２の台部並びに握柄部は前記回転支持軸に軸支されて回動することで相互に近接及び離間可能に構成され；
前記第３のブラシは前記第１の台部の幅方向に対して鋭角の第１の植毛角度を有して前記第１の台部の側面から前記第１の台部の幅方向に突出し；
前記第４のブラシは前記第２の台部の幅方向に対して鋭角の第２の植毛角度を有して前記第２の台部の側面から前記第２の台部の幅方向に突出する突出列を有し；
前記第１及び第２の台部が前記近接したときに、前記第３のブラシと前記第４のブラシの突出列とが相互に交差して接触するように構成され；
前記第３のブラシと前記第４のブラシの突出列とが前記相互に交差して接触したときに、前記第１のブラシ、前記第３のブラシ及び前記第４のブラシの突出列の先端が円筒状の毛先面上に整列するように構成された；
整髪用ブラシ。
【請求項２】
前記第２の台部の前記円弧形状の湾曲の凹面にはブラシが設けられない、請求項１に記載の整髪用ブラシ。
【請求項３】
前記第１及び／又は第２の台部には通風孔が設けられた、請求項１又は請求項２に記載の整髪用ブラシ。
【請求項４】
前記第１及び第２の握柄部を相互に係合して前記第１及び第２の台部並びに握柄部を前記相互に近接した状態に固定する係合固定部材を更に備える、請求項１乃至請求項３のいずれか一項に記載の整髪用ブラシ。
【請求項５】
請求項１乃至請求項４のいずれか一項に記載の整髪用ブラシを使用して整髪する方法。
【発明の詳細な説明】
【技術分野】
【０００１】  本発明は、整髪用ブラシ及び整髪方法に関し、より詳細には、使用者が自らの髪を整髪するために用いる整髪用ブラシ及び／又は美容師が顧客の髪を整髪するために用いる整髪用ブラシ並びに整髪用ブラシを用いた整髪方法に関する。
【背景技術】
【０００２】  従来、円筒形の本体ブラシ部に連なる本体柄部に回動可能に軸着された支点部を介し、押さえ柄部に連なり且つ凹面にブラシ毛を有する半筒形押さえブラシ部を設けてなる整髪用ブラシが知られている（例えば、特許文献１、請求項１参照）。このような整髪用ブラシでは、毛髪をカールさせる際、本体ブラシ部と押さえブラシ部との間に毛髪を挟むことによりブラシを持たない方の手を添えることなく片手で簡単に且つきれいに整髪ができる（特許文献１、段落０００７参照）ことが知られている。
【先行技術文献】
【特許文献】
【０００３】
【特許文献１】特開平１１−３１８５６４号公報  （例えば、請求項１、段落０００７参照）
【発明の概要】
【発明が解決しようとする課題】
【０００４】  しかしながら、特許文献１が開示する整髪用ブラシの本体ブラシ部と押さえブラシ部との間に髪を挟んでカールさせる場合には、髪が整髪に求められるよりも大きな力で引っ張られて傷んでしまうことがあった。また、本体ブラシ部と押さえブラシ部との間に髪を挟んだままの状態ではブラシを十分に回転（ロール／カール）させることができず、ブラシを回転させる際に髪を頻繁に挟み直しながらブラシを回転させて整髪することが求められていた。このため、従来の整髪用ブラシでは効率的に整髪することが困難であった。本発明はこれらの課題に鑑みてなされたものであり、髪を傷めることなく効率良く整髪することができる優れた整髪用ブラシ及び整髪方法を提供することを目的とする。
【課題を解決するための手段】
【０００５】  上記の課題を解決するために、本発明の第１の態様に係る整髪用ブラシは、例えば、図１に示す整髪用ブラシ１であって、円弧形状に湾曲した幅方向Ｗの断面形状を有する板状の第１及び第２の台部１１，１２と；第１及び第２の台部１１，１２から台部１１，１２の長手方向Ｌ（図２及び図３参照）に沿ってそれぞれ延在する第１及び第２の握柄部１３，１４（図２及び図３参照）と；第１及び第２の握柄部１３，１４の第１及び第２の台部１１，１２から離間した第１及び第２の遠位端部１５，１６（図２及び図３参照）を回動自在に軸支する回転支持軸１７（図２参照）と；第１の台部１１の円弧形状の湾曲の凸面１１ａに設けられた弾性植毛部２０と；弾性植毛部２０に植毛された第１のブラシ２１と；第１の台部１１の円弧形状の湾曲の凹面１１ｂに植毛された第２のブラシ２２と；第１の台部１１の凹面１１ｂ又は側面１１ｃに植毛された第３のブラシ２３と；第２の台部１２の円弧形状の湾曲の凸面１２ａ又は側面１２ｃに植毛された第４のブラシ２４とを備え；第１及び第２の台部１１，１２は第１の台部の凹面１１ｂと第２の台部の凸面１２ａとが対向するように配向され、第１及び第２の台部１１，１２並びに握柄部１３，１４は回転支持軸１７に軸支されて回動することで相互に近接及び離間可能に構成され；第３のブラシ２３は第１の台部１１の幅方向Ｗに対して鋭角の第１の植毛角度Ａ１を有して第１の台部の側面１１ｃから第１の台部１１の幅方向Ｗに突出し；第４のブラシ２４は第２の台部１２の幅方向Ｗに対して鋭角の第２の植毛角度Ａ２を有して第２の台部１２の側面１２ｃから第２の台部１２の幅方向Ｗに突出する突出列２４ａを有し；第１及び第２の台部１１，１２が近接したときに、第３のブラシ２３と第４のブラシの突出列２４ａとが相互に交差して接触するように構成され；第３のブラシ２３と第４のブラシの突出列２４ａとが相互に交差して接触したときに、第１のブラシ２１、第３のブラシ２３及び第４のブラシの突出列２４ａの先端が円筒状の毛先面Ｃ上に整列するように構成される。【０００６】  このように構成するとき、第１のブラシをクッションブラシとして設けることができる。すなわち、第１のブラシは弾性植毛部に植毛される。このため、特許文献１が開示する従来の整髪用ブラシと比べて髪に大きなテンション（引張力）をかけることがなく、髪との摩擦抵抗を抑えてスムーズに髪をとかして整髪することができる。この第１のブラシは本態様の整髪用ブラシが備える他のブラシと組み合わせることなく単独でもクッションブラシとして用いることができる。また、第１及び第２の台部を相互に近接したときには、第３のブラシと第４のブラシの突出列とが相互に交差して接触する。このとき、第１のブラシ、第３のブラシ及び第４のブラシの突出列の先端が円筒状の毛先面上に整列する。このため、第１のブラシ、第３のブラシ及び第４のブラシの突出列をロールブラシ（カールブラシ）として使用することができる。第３のブラシと第４のブラシの突出列とが相互に交差（接触）して支持し合う場合には、第３のブラシと第４のブラシの突出列とが各々単独に使用される場合と比較して高い剛性を有することができる。このように剛性が高め��れた第３のブラシ及び第４のブラシの突出列では、髪との摩擦抵抗が高められ、比較的大きなテンションをかけて髪を保持することができる。このため、本態様の整髪用ブラシを回転させて整髪するときには、第３のブラシ及び第４のブラシの突出列で髪に比較的大きなテンションをかけることができる一方で、髪との摩擦抵抗を抑えるように設けられた第１のブラシでスムーズに髪をとかすことができる。すなわち、第３のブラシ及び第４のブラシの突出列で髪に適度なテンションをかけた状態で、この適度なテンションがかけられた髪を第１のブラシ（クッションブラシ）でスムーズにとかすことができる。また、第３のブラシと第４のブラシの突出列に整髪に求められるよりも大きなテンションがかかったときには、第３のブラシと第４のブラシの突出列が各々撓んで相互の接触（交差）が解消され、その剛性を低下させることができる。このため、整髪に求められるよりも大きなテンションが髪にかかることを防止することができる。このため、髪がつれて痛みを感じたり髪そのものが痛んで（引張破壊して）しまうことを防ぐことができる。【０００７】  また、第１及び第２の台部は相互に近接及び離間することができる。このため、対向する第２のブラシと第４のブラシとを一組のツインブラシとして使用することができる。すなわち、第２のブラシと第４のブラシとの間で髪を挟むと共にこの第２及び第４のブラシで髪をとかすことができる。このとき、第２及び第４のブラシは各々台部の幅方向に突出すると共に相互に交差して接触する第３のブラシと第４のブラシの突出列とによって台部の幅方向の両端で挟まれている。このため、この相互に交差して接触する第３のブラシと第４のブラシの突出列とによって第２及び第４のブラシから台部の幅方向の外側に髪がこぼれ落ちて（髪がブラシから外れて）しまうことを防止することができる。この場合にも同様に、相互に交差して接触する第３のブラシ及び第４のブラシの突出列は整髪に求められるよりも大きなテンション又は外力を髪にかけてしまうことがない。【０００８】  このように、本態様の整髪用ブラシは、クッションブラシとしての機能を提供することができると共に、改良されたロールブラシ及びツインブラシとしての機能を提供することができる。本態様の整髪用ブラシはロールブラシとして使用する際に、髪にテンションをかけるために従来の整髪用ブラシのように髪を挟んで保持することがない。また、髪に整髪に求められるよりも大きなテンションをかけてしまうことがない。このため、髪を傷めることなく効率良く整髪することができる。【０００９】  また、本発明の第２の態様に係る整髪用ブラシは、本発明の第１の態様に係る整髪用ブラシにおいて、例えば、図１に示すように、第２の台部１２の円弧形状の湾曲の凹面１２ｂにはブラシが設けられない。【００１０】  このように構成するとき、第１及び第２の台部を相互に近接させることで第１のブラシ、第３のブラシ及び第４のブラシの突出列の先端を円筒状の毛先面上に整列させてロールブラシとして使用するときに、第２の台部の円弧形状の湾曲の凹面にはブラシが設けられていないため、該部分では髪がブラシから完全に外れることとなる。更に、このブラシが設けられていない部分の台部は凹面の逃げ形状に設けられているため、確実に髪をブラシから外すことができる。このため、本態様の整髪用ブラシをロールブラシとして回転させて使用するときに、髪がブラシの周囲（全周）に巻き付いて髪に大きなテンションがかかることを防ぐことができる。このため、髪を傷めることなく効率良く整髪することができる。【００１１】  また、本発明の第３の態様に係る整髪用ブラシは、本発明の第１又は第２の態様に係る整髪用ブラシにおいて、例えば、図３に示すように、第１及び／又は第２の台部１１，１２には通風孔１９が設けられる。【００１２】  このように構成するとき、温風を吹き付けて髪を乾かしながら整髪する場合にも、第１及び／又は第２の台部に設けられた通風孔が温風を通して、効率良く整髪することができる。【００１３】  また、本発明の第４の態様に係る整髪用ブラシは、本発明の第１乃至第３の態様のいずれか一の態様に係る整髪用ブラシにおいて、例えば、図４に示すように、第１及び第２の握柄部１３，１４を相互に係合して第１及び第２の台部１１，１２並びに握柄部１３，１４を相互に近接した状態に固定する係合固定部材３０を更に備える。【００１４】  このように構成するとき、第１及び第２の台部並びに握柄部を相互に近接した状態に固定することができる。このため、本態様の整髪用ブラシを前述のようにロールブラシとして使用するときに、更に使用し易く設けることができる。このため更に効率良く整髪することができる。【００１５】  また、本発明の第５の態様に係る方法は、本発明の第１乃至第４の態様のいずれか一の態様に係る整髪用ブラシを使用して整髪する。【００１６】  このように構成するとき、髪を傷めることなく効率良く髪を整髪する方法を提供することができる。
【発明の効果】
【００１７】  本発明による整髪用ブラシ及び整髪方法によれば、髪を傷めることなく効率良く整髪することができる優れた整髪用ブラシ及び整髪方法を提供することができる。
【図面の簡単な説明】
【００１８】
【図１】図１は、本発明の実施の形態に係る例示の整髪用ブラシをその長手方向より見て示す説明図である。図１（Ａ）は第１及び第２の台部が近接した近接状態を示し、図１（Ｂ）は第１及び第２の台部が離間した離間状態を示す。
【図２】図２は、本発明の実施の形態に係る整髪用ブラシの第１の台部及び握柄部の例を示す説明図である。図２（Ａ）は第１の台部及び握柄部をその凸面側より見て示し、図２（Ｂ）は第１の台部及び握柄部をその凹面側より見て示す。
【図３】図３は、本発明の実施の形態に係る整髪用ブラシの例示の第２の台部及び握柄部をその凸面側より見て示す説明図である。
【図４】図４は、本発明の実施の形態に係る整髪用ブラシの例示の近接状態（近接固定状態）をその側面より見て示す説明図である。
【図５】図５は、本発明の実施の形態に係る整髪用ブラシの例示の離間状態（離間開放状態）をその側面より見て示す説明図である。
【発明を実施するための形態】
【００１９】  以下、図面を参照して本発明の実施の形態について説明する。図１は、本発明の実施の形態に係る例示の整髪用ブラシ１をその長手方向Ｌ（図２参照）より見て示す説明図である。図１（Ａ）は本実施の形態に係る整髪用ブラシ１が備える第１の台部１１と第２の台部１２とが近接した近接状態を示す。第１の台部１１及び第２の台部１２はその長手方向Ｌ（図２参照）より見る幅方向Ｗの断面形状が円弧形状に湾曲した板状に設けられる。第１及び第２の台部１１，１２は公知の樹脂材料、木材等により設けることができ、本実施の形態では耐久性に優れたＡＢＳ樹脂により設けられている。第１の台部１１が湾曲した板状に設けられるために、第１の台部の側面１１ｃ（図１（Ｂ）参照）の法線方向は第１の台部１１の幅方向Ｗに対して角度Ａ１（図１（Ｂ）参照）を有することとなる。また、第１の台部の側面１１ｃに対して実質的に垂直に植毛された第３のブラシ２３も第１の台部１１の幅方向Ｗに対して第１の植毛角度Ａ１を有することとなる。第３のブラシ２３は、第１の台部の側面１１ｃより幅方向Ｗの外側に向けて突出している。このように第３のブラシ２３の植毛方向が第１の台部１１の幅方向Ｗに対して角度Ａ１を有する場合には、後に詳述する第１の台部の凸面１１ａ上に設けられたクッションブラシである第１のブラシ２１を使用する際に第３のブラシ２３がその使用の妨げとなることがない。
【００２０】  また、第３のブラシ２３の植毛方向は第１のブラシ２１の植毛方向に対しては鈍角を成す。このため、第１のブラシ２１の先端と第３のブラシ２３の先端とが相互に鈍角を成す植毛方向を有して実質的に円筒状の毛先面Ｃを形成するように設けることができるから、第１のブラシ２１と第３のブラシ２３とでロールブラシを形成することができる。また、第１のブラシ２１と第３のブラシ２３とで好適にロールブラシを形成するために、本実施の形態の第３のブラシ２３の植毛方向は第１のブラシ１１の幅方向Ｗに対して好ましくは鋭角の第１の植毛角度Ａ１（図１（Ｂ）参照）を有するように設けられる。すなわち、第１の植毛角度Ａ１は好ましくは０度を超え、９０度未満の範囲の角度に設けられる。さらに好ましくは第１の植毛角度Ａ１は１０度を超え、８０度未満の範囲の角度に設けられる。最も好ましくは第１の植毛角度Ａ１は３０度を超え、６０度未満の範囲の角度に設けられる。本実施の形態では、第１の台部１１の幅方向Ｗに対する第３のブラシ２３の第１の植毛角度Ａ１は５３度の角度に設けられている。なお、本実施の形態の第３のブラシ２３は後に詳述するように猪毛素材で設けられている。第３のブラシ２３については後に詳述する。
【００２１】  第１の台部の凸面１１ａ上にはクッション提供部としての弾性植毛部２０が設けられ、弾性植毛部２０には第１のブラシ２１が植毛されている。すなわち、第１の台部の凸面１１ａ上に設けられる第１のブラシ２１はクッションブラシとして設けられる。クッションブラシは弾性部材によりブラシが支持されるように設けられているため、ブラシが台部に直接植毛された引用文献１等が開示する従来のロールブラシと比較して髪を傷めてしまうような大きなテンションを髪にかけてしまうことがない。弾性植毛部２０は公知の弾性素材により設けることができ、本実施の形態の弾性植毛部２０は天然ゴムにより設けられている。また、第１のブラシ２１は、公知の樹脂ピン、樹脂毛、天然毛（例えば、猪毛）、金属ピン（静電気発生防止材ピン）等又はこれらの組み合わせにより設けることができる。本実施の形態の第１のブラシ２１は直径１．２ｍｍ、長さ１６ｍｍのナイロン（登録商標）製の樹脂ピンにより設けられている。また、第１のブラシ２１の先端は直径２ｍｍの球形状に成形され、使用の際に頭皮を保護することができるように設けられている。本実施の形態の第１のブラシ２１は１６８本の樹脂ピンが２４行７列に配置されたもの（図２（Ａ）参照）であり、ブラシの先端が先開きとなるように各々異なる植毛角度を有して植毛され、図示するように、その毛先が円筒状の毛先面Ｃを形成する（円筒状の毛先面Ｃ上に整列する）ように設けられている。
【００２２】  第１の台部の凹面１１ｂ（前述の凸面１１ａの裏側の面）（図１（Ｂ）参照）には第２のブラシ２２が植毛される。第２のブラシ２２は、公知の樹脂ピン、樹脂毛、天然毛、金属ピン等又はこれらの組み合わせにより設けることができる。本実施の形態の第２のブラシ２２は８１本の猪毛製の長さ約６ｍｍの毛ブラシが２７行３列に配置されたもの（図２（Ｂ）参照）であり、図示するように、第１の台部の凹面１１ｂに対して実質的に垂直の植毛角度を有するように各々植毛されている。第２のブラシ２２は、後に詳述する第４のブラシ２４と組み合わせて用いられることにより、一組のツインブラシを形成する。
【００２３】  本実施の形態では、第１の台部の凹面１１ｂに第２の台部の凸面１２ａが対向する（図１（Ｂ）参照）ように、第１の台部１１に対して第２の台部１２が配向されて設けられている。第２の台部の凸面１２ａには第４のブラシ２４が植毛される。第４のブラシ２４は、公知の樹脂ピン、樹脂毛、天然毛、金属ピン等又はこれらの組み合わせにより設けることができる。本実施の形態の第４のブラシ２４は４０本の猪毛製の長さ約６ｍｍの毛ブラシが２０行２列に配置されたもの（図３参照）であり、図示するように、第２の台部の幅方向Ｗ（第１及び第２の台部の幅方向Ｗは一致している）に対して実質的に垂直の植毛角度を有するように各々植毛されている。第４のブラシ２４は、前述の第２のブラシ２２と組み合わせて用いられることにより、一組のツインブラシを形成する。ツインブラシの開閉機構については後に詳述する。
【００２４】  図示するように、３列に設けられた第２のブラシ２２と２列に設けられた第４のブラシ２４とは互い違いに配置され、また、第２のブラシ２２の先端と対向する第２の台部の凸面１２ａとの間及び第４のブラシ２４の先端と対向する第１の台部の凹面１１ｂとの間には各々隙間が開くように設けられている。更に、第２のブラシ２２の先端と対向する第２の台部１２には、後に詳述する通風穴１９（図３参照）が設けられている。この通風穴１９が髪の逃がし穴としても作用するため、本実施の形態の第２のブラシ２２と第４のブラシ２４とを有して構成される一組のツインブラシは整髪に求められるテンションを超えるテンションを髪にかけてしまうことがない。
【００２５】  また、第２の台部の凸面１２ａ上の第４のブラシ２４の幅方向Ｗの両外側には、１９行の最外列として配置された第４のブラシの突出列２４ａが設けられている。この第４のブラシの突出列２４ａは、第２の台部１２の幅方向Ｗに対して実質的に垂直に設けられた他の第４のブラシ２４の植毛方向とは異なり、第２の台部１２の幅方向Ｗに対する第２の植毛角度Ａ２を有して第２の台部の凸面１２ａに植毛されている。第４のブラシの突出列２４ａは、第２の台部の側面１２ｃより幅方向Ｗの外側に向けて突出している。また、第４のブラシの突出列２４ａは他の第４のブラシ２４よりも長く、約１７ｍｍの長さの猪毛素材により設けられている。このため、第４のブラシの突出列２４ａの先端は、前述の第１及び第３のブラシ２１，２３の先端と共に実質的に円筒状の毛先面Ｃを形成する。第１及び第３のブラシ２１，２３と共に好適にロールブラシを形成するために、第４のブラシの突出列２４ａの第２の植毛角度Ａ２は、前述の第３のブラシの第１の植毛角度Ａ１と同様に、第２の台部１２の幅方向Ｗに対して好ましくは鋭角の植毛角度Ａ２（図１（Ｂ）参照）を有するように設けられる。すなわち、第２の植毛角度Ａ２は好ましくは０度を超え、９０度未満の範囲の角度に設けられる。さらに好ましくは第２の植毛角度Ａ２は１０度を超え、８０度未満の範囲の角度に設けられる。最も好ましくは第２の植毛角度Ａ２は３０度を超え、６０度未満の範囲の角度に設けられる。本実施の形態では、第２の台部１２の幅方向Ｗに対する第４のブラシの突出列２４ａの第２の植毛角度Ａ２は３５度の角度に設けられている。
【００２６】  図示のように第１の台部１１と第２の台部１２とを近接させたとき、第３のブラシ２３と第４のブラシの突出列２４ａとは相互に交差して接触するように設けられている。第３のブラシ２３と第４のブラシの突出列２４ａとが相互に交差して接触したときには、第３のブラシ２３と第４のブラシの突出列２４ａとが相互に支持し合うことにより、各々単独に使用される場合と比較して高い剛性を有することとなる。このように剛性が高められた第３のブラシ２３及び第４のブラシの突出列２４ａにより髪をとかす場合には、髪との摩擦抵抗が高められ、各々単独に使用される場合と比較して髪に比較的大きなテンションをかけることができる。一方で、第３のブラシ２３と第４のブラシの突出列２４ａとの接触は、髪をとかす際に生じる髪との摩擦抵抗が髪を傷めてしまう可能性を有するまでに高まる前に、髪との摩擦抵抗により解消されて急激にその剛性が低下する。すなわち、本実施の形態では、第３のブラシ２３と第４のブラシの突出列２４ａとが相互に接触して支持し合うことによる剛性の向上を、髪を傷めてしまうことのない程度の摩擦抵抗によって自動的に解消することができる。
【００２７】  このため、本実施の形態の整髪用ブラシ１を回転させて円筒状の毛先面Ｃで髪を整髪するときには、第３のブラシ２３及び第４のブラシの突出列２４ａで髪に適度なテンションをかけた状態で、この適度なテンションがかけられた髪を前述のクッションブラシである第１のブラシ２１でスムーズにとかすことができる。髪をスムーズにとかすためには髪に適度なテンションをかけることが望ましい。相互に接触して支持し合う第３のブラシ２３及び第４のブラシの突出列２４ａは髪を傷めてしまうことがない程度の適度なテンションを髪にかけて髪を保持することができる。本実施の形態の整髪用ブラシ１を用いる場合には、整髪に求められるよりも大きなテンションが髪にかかることを防止することができ、このため髪を傷めてしまうことがなく、効率良く、巧みに髪をとかすことができる。このような巧みな整髪は美容師にとっても力の抜き加減が難しく、的確に体得することが困難なものである。本実施の形態の整髪用ブラシ１を用いることにより、この困難を少なからず低減することができる。
【００２８】  なお、本実施の形態の第１並びに第３のブラシ２１，２３及び第４のブラシの突出部２４ａの先端は実質的に円筒状の毛先面Ｃ上に整列するように設けられている。すなわち、幾何学的に毛先が円筒状の毛先面Ｃ上に整列する場合のみならず、力学的に有効であるように、所定の剛性を有する実質的な毛先位置が円筒状の毛先面Ｃ上に整列する場合も含まれる。この場合には、幾何学的な毛先の位置と円筒状の毛先面Ｃの位置との間に見かけ上の差異が存在する場合にも、力学的に有効な所定の剛性を有する実質的な毛先の位置が円筒状の毛先面Ｃ上に整列する場合には、実質的に毛先が円筒状の毛先面Ｃ上に整列しているものと見ることができる。また、第３のブラシ２３及び第４のブラシの突出列２４ａの各々の剛性は、第３のブラシ２３及び第４のブラシの突出列２４ａの各々の材質、太さ、長さ、配置本数等により変動し得る。また、第３のブラシ２３と第４のブラシの突出列２４ａとが相互に接触して支持し合うことによる剛性の向上の量も、第３のブラシ２３と第４のブラシの突出列２４ａとの接触位置、接触角度、接触量により変動し得る。更に、第１のブラシ２１の剛性及び整髪する髪の性質に応じても最適な整髪用ブラシ１の設計は変動し得る。このため、これらの変動に応じて整髪用ブラシ１の設計を最適とするように適宜設計変更を行うことが望ましい。
【００２９】  整髪用ブラシ１の最適設計においては、前述の本発明の効果を好適に奏するために、第３のブラシ２３及び第４のブラシの突出列２４ａの各単独での剛性（又は髪との最大の摩擦抵抗）が、第１のブラシ２１の剛性（又は髪との最大の摩擦抵抗）よりも小さくなるように設けることが望ましい。その一方で、第３のブラシ２３と第４のブラシの突出列２４ａとが接触して支え合う状態での剛性（又は髪との最大の摩擦抵抗）は、第１のブラシ２１の剛性（又は髪との最大の摩擦抵抗）よりも大きくなるように設けることが望ましい。本実施の形態では、このように設けるために、第１のブラシ２１を比較的剛性が高い樹脂ピンであるナイロン（登録商標）ピンで設け、第３のブラシ２３及び第４のブラシの突出列２４ａを概して樹脂ピンよりも剛性が低いものといえる毛ブラシである天然毛（猪毛）ブラシで設けている。なお、他の実施の形態では、第１及び第３のブラシ２１，２３並びに第４のブラシの突出列２４ａは各々同一の剛性を有するように設けるものとしてもよく、あるいは、第１のブラシ２１と、相互に接触して支え合う第３のブラシ２３及び第４のブラシの突出列２４ａとが同一の剛性を有するように設けるものとしてもよい。この場合にも、第３のブラシ２３と第４のブラシの突出列２４ａとが各々弾性変形する（撓む）ことによってその相互の接触状態に変化を生じさせ、髪との摩擦抵抗を減少させることができるから、前述の本発明の効果を好適に奏することができる。
【００３０】  更に、本実施の形態では、第３のブラシ２３の全長と第４のブラシの突出列２４ａの全長とが異なる長さに設けられ、その根元から接触部（交差位置）までの長さ及び接触部から毛先までの長さも、第３のブラシ２３と第４のブラシの突出列２４ａとでは異なる長さとなるように設けられている。このように設ける場合には、髪との摩擦抵抗が高まった際に、第３のブラシ２３と第４のブラシの突出列２４ａとが各々異なる形状に弾性変形する（撓む）ように設けることができる。このため、第３のブラシ２３と第４のブラシの突出列２４ａとがその接触状態を更に変動し易く（構成によっては接触状態から相互に離間し易く）設けることができる。以上説明した構成により、髪を傷めることがなく効率良く整髪することができる優れた整髪用ブラシを実現することができる。
【００３１】  本実施の形態の整髪用ブラシ１について更に説明を続ける。本実施の形態の整髪用ブラシ１の第２の台部の凹面１２ｂにはブラシが設けられていない。このため、本実施の形態の整髪用ブラシ１をロールブラシとして円筒状の毛先面Ｃを回転させて髪をとかすときに、このブラシが設けられていない部分では髪がブラシから完全に外れることとなる。更に、このブラシが設けられていない部分の台部（凹面１２ｂ）は凹面の逃げ形状に設けられている。このため、この逃げ形状によって確実に髪をブラシから外すことができる。このため、髪がブラシの周囲（全周）に巻き付いてしまうことを防止することができるから、髪を傷めることがなく、効率良く整髪を行うことができる。
【００３２】  図１（Ｂ）を参照して説明を続ける。図１（Ｂ）は第１の台部１１と第２の台部１２とが離間した離間状態を示す。このように第１の台部１１と第２の台部１２とを離間させることができるから、本実施の形態の整髪用ブラシ１を一組のツインブラシとして使用することができる。また、このとき、この一組のツインブラシが有する第２及び第４のブラシ２２，２４は、各々台部の幅方向の外側に突出すると共に相互に交差して接触する第３のブラシ２３と第４のブラシの突出列２４ａとによって台部の幅方向Ｗの両端を挟まれている。このため、第２及び第４のブラシ２２，２４から台部の幅方向の外側に髪がこぼれ落ちてしまう（髪がブラシから外れてしまう）ことを防止することができる。また、この場合にも、前述の説明と同様に、相互に交差して接触する第３のブラシ２３及び第４のブラシの突出列２４ａが整髪に求められるよりも大きなテンション又は外力を髪にかけてしまうことがない。第１の台部１１と第２の台部１２との近接及び離間機構については後に詳述する。
【００３３】  図２を参照して説明を続ける。図２は、本発明の実施の形態に係る整髪用ブラシ１の第１の台部１１及び握柄部１３の例を示す説明図である。図２（Ａ）は第１の台部１１及び握柄部１３をその凸面１１ａ側より見て示す図である。また、図２（Ｂ）は第１の台部１１及び握柄部１３をその凹面１１ｂ側より見て示す図である。図２（Ｂ）に示すように、第１の握柄部１３の第１の台部１１とは反対側の（台部１１から離間した）第１の遠位端部１５には、第１及び第２の台部１１，１２（図３参照）並びに握柄部１３，１４（図３参照）を相互に近接及び離間させるための回転支持軸１７が設けられている。回転支持軸１７は壁面から突出する円柱形状に設けられ、対応する第２の握柄部１４の遠位端部１６（図３参照）に設けられた回転支持軸受穴１８（図３参照）と係合するように設けられている。このため、回転支持軸１７は、第１及び第２の遠位端部１５，１６を回動自在に軸支することができる。
【００３４】  図３を参照して説明を続ける。図３は、本発明の実施の形態に係る整髪用ブラシ１の例示の第２の台部１２及び握柄部１４をその凸面１２ａ側より見て示す説明図である。第２の台部１２には、３つの通風穴１９が設けられている。通風穴１９は長穴の形態で設けられ、整髪用ブラシ１で髪をとかすと共に、ドライヤ等で髪に温風を吹き付けて髪を乾かしながら整髪する場合にも、第２の台部１２に設けられた通風孔１９が温風を通して、効率良く整髪することができるように設けられている。
【００３５】  図４を参照して説明を続ける。図４は、本発明の実施の形態に係る整髪用ブラシ１の例示の近接状態（近接固定状態）をその側面より見て示す説明図である。整髪用ブラシ１は、第１の握柄部１３と第２の握柄部１４とを相互に係合して固定する係合固定部材３０を更に備えている。係合固定部材３０は、第１及び第２の握柄部１３，１４を相互に係合して固定することにより、第１及び第２の台部１１，１２を近接した状態に固定する。具体的には、係合固定部材３０は、第１及び第２の握柄部１３，１４の遠位端部１５，１６の遠位端面（図示する最下面）を面一に整列させて係合する。このため、第１及び第２の台部１１，１２を近接した状態に固定して、本実施の形態の整髪用ブラシ１を前述のようにロールブラシとして更に容易に使用することができる。
【００３６】  図５を参照して説明を続ける。図５は、本発明の実施の形態に係る整髪用ブラシ１の例示の離間状態（離間開放状態）をその側面より見て示す説明図である。図５に示す離間状態において、前述の係合固定部材３０はそのスライド移動を抑止する固定穴（スライドロック）３１から開放されてスライド移動され、第１及び第２の握柄部１３，１４は回転支持軸１７の周りを自在に回転することができる開放状態とされている。このため、第１及び第２の台部１１，１２を随意に近接状態及び離間状態として、整髪用ブラシ１を一組のツインブラシとして使用することができる。
【００３７】  以上のように、本実施の形態の整髪用ブラシ１は、クッションブラシとしての機能を提供することができると共に、改良されたロールブラシ及びツインブラシとしての機能を提供することができる。また、本実施の形態の整髪用ブラシ１は携行が容易であり、複数種類のブラシを別途携行し、又は持ち替えて、使い分けることを強いられることがない。このため、本実施の形態の整髪用ブラシ１を用いる場合には、髪を傷めることがなく効率良く整髪することができる。
【００３８】  なお、本実施の形態の整髪用ブラシ１の第３のブラシ２３の第１の植毛角度Ａ１は鋭角に設けることが好ましいものと説明したが、他の実施の形態では、第３のブラシの植毛角度Ａ１は第１のブラシの幅方向Ｗに対して鈍角を成すように設けるものとしてもよい。この場合にも、第１のブラシと第３のブラシとでロールブラシを形成することができる限りにおいて、前述の本発明の効果を好適に奏することができる。同様に、本実施の形態の第４のブラシの突出列２４ａの第２の植毛角度Ａ２は第２のブラシの幅方向Ｗに対して鈍角を成すように設けるものとしてもよい。この場合にも、第１及び第３のブラシと第４のブラシの突出列とでロールブラシを形成することができる限りにおいて、前述の本発明の効果を好適に奏することができる。
【００３９】  また、本実施の形態の第３のブラシ２３は第１の台部の側面１１ｃに各１列（合計２列）が植毛されて設けられるものと説明したが、他の実施の形態では、第３のブラシは第１の台部の側面に各複数列（例えば、各２列、合計４列）が植毛されて設けられるものとしてもよい。また、本実施の形態では、整髪用ブラシ１の第４のブラシ２４の最外列が第４のブラシの突出列２４ａとして設けられるものと説明したが、他の実施の形態では、第２の台部の幅方向Ｗの両外側に位置する複数列の第４のブラシを第４のブラシの突出列として設けるものとしてもよい。このように設ける場合にも、複数列に設けられた第３のブラシと第４のブラシの突出列とが相互に各々交差して接触するように設けることができるから、前述の本発明の効果を好適に奏することができる。
【００４０】  また、本実施の形態の整髪用ブラシ１の第３のブラシ２３は第１の台部の側面１１ｃに植毛されるものと説明したが、他の実施の形態では、第３のブラシは、本実施の形態の第２の台部の凸面１２ａに植毛される第４のブラシの突出列２４ａと同様に、第１の台部の凹面１１ｂに植毛されるように設けるものとしてもよい。また同様に、本実施の形態の整髪用ブラシ１の第４のブラシの突出列２４ａは第２の台部の凸面１２ａに植毛されるものと説明したが、他の実施の形態では、第４のブラシの突出列は、本実施の形態の第１の台部の側面１１ｃに植毛される第３のブラシ２３と同様に、本実施の形態の第２の台部の側面１２ｃに植毛されるように設けるものとしてもよい。あるいは、それらの両面に植毛されるように設けるものとしてもよい。ブラシの植毛位置は幅方向Ｗに対するブラシの植毛角度Ａ１，Ａ２を実質的に前述の構成の範囲内に維持することができる限りおいて任意に選択することができる。なお、この場合には、更に第１及び第２の台部の湾曲をより緩やかなものとしてもよい。
【００４１】  また、本実施の形態の整髪用ブラシ１の第２の台部の凹面１２ｂにはブラシが設けられていないものと説明したが、他の実施の形態では、整髪用ブラシをロールブラシとして円筒状の毛先面を回転させて髪をとかすときに、髪がブラシの周囲（全周）に巻き付いてしまうことがない限度の範囲内において、第２の台部の凹面にブラシを設けるものとしてもよい。
【００４２】  また、本実施の形態の整髪用ブラシ１では、第２の台部１２にのみ通風孔１９が設けられているものと説明したが、他の実施の形態では、第１の台部にも通風孔を設けるものとしてもよい。この場合には、弾性植毛部の第１のブラシを支持しない部分にも通風孔を設けるものとしてもよい。このように設けると、更に効率良く整髪を行うことができる。
【００４３】  また、本実施の形態の係合固定部材３０は第１及び第２の握柄部１３，１４の遠位端部１５，１６の遠位端面を面一に整列させて係合するものと説明したが、第１及び第２の握柄部１３，１４の回転支持軸１７周りの回転を抑止することができるものであれば、他の実施の形態において、他の公知の回転抑止機構を用いるものとしてもよい。
【符号の説明】
【００４４】１  整髪用ブラシ
１１  第１の台部
１１ａ  凸面（第１の台部）
１１ｂ  凹面（第１の台部）
１１ｃ  側面（第１の台部）
１２  第２の台部
１２ａ  凸面（第２の台部）
１２ｂ  凹面（第２の台部）
１２ｃ  側面（第２の台部）
１３  第１の握柄部
１４  第２の握柄部
１５  第１の遠位端部
１６  第２の遠位端部
１７  回転支持軸（第１の握柄部）
１８  回転支持軸受穴（第２の握柄部）
１９  通風穴（第２の台部）
２０  弾性植毛部
２１  第１のブラシ
２２  第２のブラシ
２３  第３のブラシ
２４  第４のブラシ
２４ａ  突出列（第４のブラシ）
３０  係合固定部材（回転ロック）
３１  固定穴（スライドロック）
Ａ１  第１の植毛角度（第３のブラシ）
Ａ２  第２の植毛角度（第４のブラシの突出列）
Ｃ  円周状の毛先面
Ｌ  長手方向
Ｗ  幅方向
【図１】
2015037514.tif 000003
【図２】
2015037514.tif 000004
【図３】
2015037514.tif 000005
【図４】
2015037514.tif 000006
【図５】
2015037514.tif 000007